(57)【要約】【課題】容易かつ確実にＣＴの２次回路から保護制御装置の切り離しを行うことができる切替回路を得ること。【解決手段】変流器１の２次回路を接続対象とする入力端子３０と、保護制御装置６を接続対象とする出力端子４０と、入力端子３０と出力端子４０との各端間の接続状態として、入力端子３０と出力端子４０とが接続された第１の状態と、入力端子３０と出力端子４０とが切り離されるとともに入力端子３０の両端が短絡された第２の状態と、第１の状態と前記第２の状態との間を遷移する過程において、入力端子３０と出力端子４０とが接続されるとともに入力端子３０の両端が短絡された中間状態と、を有する接点部群２００と、を備える。【選択図】図１
2011166936.tif 000002
【特許請求の範囲】
【請求項１】
電力系統の３相交流電流を検出する各変流器の２次回路と前記電力系統の保護・制御を行う保護制御装置との間に設けられ、前記保護制御装置と前記２次回路との接続および切り離しを行う切替回路であって、
前記２次回路を接続対象とする１組の入力端子と、
前記保護制御装置を接続対象とする１組の出力端子と、
前記入力端子と前記出力端子との間に介在し、前記２次回路と前記保護制御装置とが接続される状態と、切り離しされる状態とを形成可能とし、且つ、前記２次回路と前記保護制御装置との接続状態の如何に関わらず、前記２次回路が短絡される状態を形成可能に構成される接点部群と、
を備えたことを特徴とする切替回路。
【請求項２】
前記接点部群は、
それぞれが２つの端子を有し、前記各２つの端子間が導通することにより閉路し、当該各２つの端子間が非導通となることにより開路する第１乃至第３の接点部を有し、
前記第１の接点部の一方の端子は前記入力端子の一端に接続され、前記第１の接点部の他方の端子は前記出力端子の一端に接続され、
前記第２の接点部の一方の端子は前記第１の接点部の一方の端子に接続され、前記第２の接点部の他方の端子は前記第３の接点部の一方の端子に接続され、
前記第３の接点部の一方の端子は前記入力端子の他端に接続され、前記第３の接点部の他方の端子は前記出力端子の他端に接続され、
前記第１の接点部の閉路、前記第２の接点部の開路および、前記第３の接点部の閉路により、前記入力端子と前記出力端子とが接続された第１の状態と、前記第１の接点部の開路、前記第２の接点部の閉路および、前記第３の接点部の開路により、前記入力端子と前記出力端子とが切り離され、且つ、前記入力端子の両端が短絡された第２の状態と、の間を遷移する過程において、前記第１の接点部、前記第２の接点部および前記第３の接点部の各閉路により、前記入力端子と前記出力端子とが接続され、且つ、前記入力端子の両端が短絡された中間状態を経由することを特徴とする請求項１に記載の切替回路。
【請求項３】
前記保護制御装置に試験電流を入力する１組の試験入力端子と、
前記試験入力端子と前記出力端子との間に介在し、前記２次回路と前記保護制御装置とが切り離しされている状態時に、前記保護制御装置と前記試験入力端子とが接続される状態を形成可能に構成される試験接点部群と、
をさらに備えたことを特徴とする請求項１に記載の切替回路。
【請求項４】
前記試験接点部群は、
それぞれが２つの端子を有し、前記各２つの端子間が導通することにより閉路し、当該各２つの端子間が非導通となることにより開路する第１および第２の試験接点部を有し、
前記第１の試験接点部の一方の端子は前記試験入力端子の一端に接続され、前記第１の試験接点部の他方の端子は前記出力端子の一端に接続され、
前記第２の試験接点部の一方の端子は前記試験入力端子の他端に接続され、前記第２の試験接点部の他方の端子は前記出力端子の他端に接続され、
前記第１の接点部の閉路、前記第２の接点部の開路、前記第３の接点部の閉路、前記第１の試験接点部の開路および、前記第２の試験接点部の開路により、前記入力端子と前記出力端子とが接続され、且つ、前記試験入力端子と前記出力端子とが切り離された第１の状態と、前記第１の接点部の開路、前記第２の接点部の閉路、前記第３の接点部の開路、前記第１の試験接点部の閉路および、前記第２の試験接点部の閉路により、前記入力端子と前記出力端子とが切り離され、且つ、前記試験入力端子と前記出力端子とが接続された第２の状態との間を遷移する過程において、前記第１の接点部の閉路、前記第２の接点部の閉路、前記第３の接点部の閉路、前記第１の試験接点部の開路および、前記第２の試験接点部の開路により、前記入力端子と前記出力端子とが接続され、且つ、前記試験入力端子と前記出力端子とが切り離され、且つ、前記入力端子の両端が短絡された中間状態を経由する
ことを特徴とする請求項３に記載の切替回路。
【請求項５】
前記試験接点部群は、
それぞれが２つの端子を有し、前記各２つの端子間が導通することにより閉路し、当該各２つの端子間が非導通となることにより開路する第１および第２の試験接点部を有し、
前記第１の試験接点部の一方の端子は前記試験入力端子の一端に接続され、前記第１の試験接点部の他方の端子は前記出力端子の一端に接続され、
前記第２の試験接点部の一方の端子は前記試験入力端子の他端に接続され、前記第２の試験接点部の他方の端子は前記出力端子の他端に接続され、
前記第１の接点部の閉路、前記第２の接点部の開路、前記第３の接点部の閉路、前記第１の試験接点部の開路および、前記第２の試験接点部の開路により、前記入力端子と前記出力端子とが接続され、且つ、前記試験入力端子と前記出力端子とが切り離された第１の状態と、前記第１の接点部の開路、前記第２の接点部の閉路、前記第３の接点部の開路、前記第１の試験接点部の開路および、前記第２の試験接点部の開路により、前記入力端子と前記出力端子とが切り離され、且つ、前記試験入力端子と前記出力端子とが切り離された第２の状態との間を遷移する過程において、前記第１の接点部の閉路、前記第２の接点部の閉路、前記第３の接点部の閉路、前記第１の試験接点部の開路および、前記第２の試験接点部の開路により、前記入力端子と前記出力端子とが接続され、且つ、前記試験入力端子と前記出力端子とが切り離され、且つ、前記入力端子の両端が短絡された第１の中間状態を経由するとともに、
前記第１の接点部の開路、前記第２の接点部の閉路、前記第３の接点部の開路、前記第１の試験接点部の閉路および、前記第２の試験接点部の閉路により、前記入力端子と前記出力端子とが切り離され、且つ、前記試験入力端子と前記出力端子とが接続された第３の状態と、前記第２の状態との間を遷移する過程において、前記第１の接点部の開路、前記第２の接点部の閉路、前記第３の接点部の開路、前記第１の試験接点部の開路および、前記第２の試験接点部の開路により、前記入力端子と前記出力端子とが切り離され、且つ、前記試験入力端子と前記出力端子とが切り離され、且つ、前記入力端子の両端が短絡された第２の中間状態を経由する
ことを特徴とする請求項３に記載の切替回路。
【請求項６】
電力系統の３相交流電流を検出する各変流器の２次回路と前記電力系統の保護・制御を行う保護制御装置との間に設けられ、第１の保護制御装置および第２の保護制御装置と前記２次回路との接続および切り離しを行う切替回路であって、
前記２次回路を接続対象とする１組の入力端子と、
前記第１の保護制御装置を接続対象とする１組の第１出力端子と、
前記第２の保護制御装置を接続対象とする１組の第２出力端子と、
前記入力端子と前記第１出力端子との間に介在し、前記２次回路と前記第１の保護制御装置とが接続される状態と、切り離しされる状態とを形成可能とし、且つ、前記２次回路と前記第１の保護制御装置との接続状態の如何に関わらず、前記２次回路が短絡される状態を形成可能に構成されるとともに、前記入力端子と前記第２出力端子との間に介在し、前記２次回路と前記第２の保護制御装置とが接続される状態と、切り離しされる状態とを形成可能とし、且つ、前記２次回路と前記第２の保護制御装置との接続状態の如何に関わらず、前記２次回路が短絡される状態を形成可能に構成される接点部群と、
を備えたことを特徴とする切替回路。
【請求項７】
前記接点部群は、
それぞれが２つの端子を有し、前記各２つの端子間が導通することにより閉路し、当該各２つの端子間が非導通となることにより開路する第１乃至第６の接点部を有するとともに、
前記第１の接点部の一方の端子は前記入力端子の一端に接続され、前記第１の接点部の他方の端子は前記第１出力端子の一端に接続され、
前記第２の接点部の一方の端子は前記第１の接点部の一方の端子に接続され、前記第２の接点部の他方の端子は前記第３の接点部の一方の端子に接続され、
前記第３の接点部の一方の端子は前記第４の接点部の一方の端子に接続され、前記第３の接点部の他方の端子は前記第１出力端子の他端に接続され、
前記第４の接点部の一方の端子は前記第５の接点部の一方の端子に接続され、前記第４の接点部の他方の端子は前記第２出力端子の一端に接続され、
前記第５の接点部の他方の端子は前記第６の接点部の一方の端子に接続され、
前記第６の接点部の一方の端子は前記入力端子の他端に接続され、前記第６の接点部の他方の端子は前記第２出力端子の他端に接続され、
前記第１の接点部の閉路、前記第２の接点部の開路、前記第３の接点部の閉路、前記第４の接点部の開路、前記第５の接点部の閉路および、前記第６の接点部の開路により、前記入力端子と前記第１出力端子とが接続された第１の状態と、前記第１の接点部の開路、前記第２の接点部の閉路、前記第３の接点部の開路、前記第４の接点部の閉路、前記第５の接点部の開路および、前記第６の接点部の閉路により、前記入力端子と前記第２出力端子とが接続された第２の状態との間を遷移する過程において、前記第１の接点部、前記第２の接点部、前記第３の接点部、前記第４の接点部、前記第５の接点部および前記第６の接点部の各閉路により、前記入力端子と前記第１出力端子および前記第２出力端子とが接続され、且つ、前記入力端子の両端が短絡された第１の中間状態を経由することを特徴とする請求項６に記載の切替回路。
【請求項８】
前記接点部群は、
前記第１の接点部の開路、前記第２の接点部の閉路、前記第３の接点部の開路、前記第４の接点部の開路、前記第５の接点部の閉路および、前記第６の接点部の開路により、前記入力端子と前記第１出力端子および前記第２出力端子とが切り離され、且つ、前記入力端子の両端が短絡された第３の状態と、前記第１の状態との間を遷移する過程において、前記第１の接点部の閉路、前記第２の接点部の閉路、前記第３の接点部の閉路、前記第４の接点部の開路、前記第５の接点部の閉路および、前記第６の接点部の開路により、前記入力端子と前記第１出力端子とが接続され、且つ、前記入力端子の両端が短絡された第２の中間状態を経由するとともに、
前記第２の状態と前記第３の状態との間を遷移する過程において、前記第１の接点部の開路、前記第２の接点部の閉路、前記第３の接点部の開路、前記第４の接点部の閉路、前記第５の接点部の閉路および、前記第６の接点部の閉路により、前記入力端子と前記第２出力端子とが接続され、且つ、前記入力端子の両端が短絡された第３の中間状態を経由する
ことを特徴とする請求項７に記載の切替回路。
【請求項９】
前記接点部群は、
前記第１の接点部の閉路、前記第２の接点部の開路、前記第３の接点部の閉路、前記第４の接点部の閉路、前記第５の接点部の開路および、前記第６の接点部の閉路により、前記入力端子と前記第１出力端子および前記第２出力端子とが接続された第４の状態と、前記第１の状態との間を遷移する過程において、前記第１の接点部の閉路、前記第２の接点部の開路、前記第３の接点部の閉路、前記第４の接点部の閉路、前記第５の接点部の閉路および、前記第６の接点部の閉路により、前記入力端子と前記第１出力端子および前記第２出力端子とが接続され、且つ、前記第２出力端子の両端が短絡された第４の中間状態を経由するとともに、
前記第２の状態と前記第４の状態との間を遷移する過程において、前記第１の接点部の閉路、前記第２の接点部の閉路、前記第３の接点部の閉路、前記第４の接点部の閉路、前記第５の接点部の開路および、前記第６の接点部の閉路により、前記入力端子と前記第１出力端子および前記第２出力端子とが接続され、且つ、前記第１出力端子の両端が短絡された第５の中間状態を経由する
ことを特徴とする請求項８に記載の切替回路。
【請求項１０】
前記第１の保護制御装置に試験電流を入力する１組の第１試験入力端子と、
前記第２の保護制御装置に試験電流を入力する１組の第２試験入力端子と、
前記第１試験入力端子と前記第１出力端子との間に介在し、前記２次回路と前記第１の保護制御装置とが切り離しされている状態時に、前記第１の保護制御装置と前記第１試験入力端子とが接続される状態を形成可能に構成されるとともに、前記第２試験入力端子と前記第２出力端子との間に介在し、前記２次回路と前記第２の保護制御装置とが切り離しされている状態時に、前記第２の保護制御装置と前記第２試験入力端子とが接続される状態を形成可能に構成される試験接点部群と、
をさらに備えたことを特徴とする請求項８に記載の切替回路。
【請求項１１】
前記試験接点部群は、
それぞれが２つの端子を有し、前記各２つの端子間が導通することにより閉路し、当該各２つの端子間が非導通となることにより開路する第１乃至第４の試験接点部を有し、
前記第１の試験接点部の一方の端子は前記第１試験入力端子の一端に接続され、前記第１の試験接点部の他方の端子は前記第１出力端子の一端に接続され、
前記第２の試験接点部の一方の端子は前記第１試験入力端子の他端に接続され、前記第２の試験接点部の他方の端子は前記第１出力端子の他端に接続され、
前記第３の試験接点部の一方の端子は前記第２試験入力端子の一端に接続され、前記第３の試験接点部の他方の端子は前記第２出力端子の一端に接続され、
前記第４の試験接点部の一方の端子は前記第２試験入力端子の他端に接続され、前記第４の試験接点部の他方の端子は前記第２出力端子の他端に接続され、
前記第１の状態において、前記第１の試験接点部の開路、前記第２の試験接点部の開路、前記第３の試験接点部の閉路および、前記第４の試験接点部の閉路により、前記第１試験入力端子と前記第１出力端子とが切り離され、且つ、前記第２試験入力端子と前記第２出力端子とが接続され、
前記第２の状態において、前記第１の試験接点部の閉路、前記第２の試験接点部の閉路、前記第３の試験接点部の開路および、前記第４の試験接点部の開路、により、前記第２試験入力端子と前記第２出力端子とが切り離され、且つ、前記第１試験入力端子と前記第１出力端子とが接続され、
前記第３の状態において、前記第１の試験接点部、前記第２の試験接点部、前記第３の試験接点部および前記第４の試験接点部の各閉路により、前記第１試験入力端子と前記第１出力端子とが接続され、且つ、前記第２試験入力端子と前記第２出力端子とが接続される
ことを特徴とする請求項１０に記載の切替回路。
【請求項１２】
電力系統の３相交流電流を検出する各変流器の２次回路と前記電力系統の保護・制御を行う保護制御装置との間に設けられ、複数の前記保護制御装置と前記２次回路との接続および切り離しを行う切替回路であって、
前記２次回路を接続対象とする１組の入力部と、
前記保護制御装置を接続対象とする複数組の出力部と、
請求項１乃至５の何れか１項に記載の切替回路により構成された複数組の前記出力部と同数の個別切替部と、
を備え、
前記入力部と複数の前記個別切替部の前記入力端子とが直列に接続され、複数組の前記出力部と当該出力部と同数の前記個別切替部の前記出力端子とがそれぞれ接続されて構成されることを特徴とする切替回路。
【請求項１３】
電力系統の３相交流電流を検出する各変流器の２次回路と前記電力系統の保護・制御を行う保護制御装置との間に設けられ、第１の保護制御装置および第２の保護制御装置と前記２次回路との接続および切り離しを行う切替回路であって、
前記２次回路を接続対象とする１組の入力部と、
前記第１の保護制御装置を接続対象とする１組の第１出力部と、
前記第２の保護制御装置を接続対象とする１組の第２出力部と、
請求項１乃至５の何れか１項に記載の切替回路により構成された第１個別切替部と、
請求項１乃至５の何れか１項に記載の切替回路により構成された第２個別切替部と、
請求項６乃至９の何れか１項に記載の切替回路により構成された系列切替部と、
を備え、
前記系列切替部の前記入力端子が前記入力部に接続され、前記系列切替部の前記第１出力端子が前記第１個別切替部の前記入力端子に接続され、前記系列切替部の前記第２出力端子が前記第２個別切替部の前記入力端子に接続され、前記第１個別切替部の前記出力端子が前記第１出力部に接続され、前記第２個別切替部の前記出力端子が前記第２出力部に接続されて構成されることを特徴とする切替回路。
【発明の詳細な説明】
【技術分野】
【０００１】
本発明は、容易かつ確実に変流器（以下「ＣＴ」という）の２次回路から保護制御装置の切り離しを行う技術に関するものである。
【背景技術】
【０００２】
電力系統の保護・制御を行う保護制御装置の保守・点検の際には、保護制御装置に試験電流を流して動作を確認するため、ＣＴの２次回路から保護制御装置を切り離す必要がある。
【０００３】
下記特許文献１では、保護制御装置のＣＴ２次入力回路にＣＴ回路バイパス装置を専用の試験用プラグで接続し、通電中のＣＴ２次回路側の閉ループを維持しつつＣＴの２次回路から保護制御装置を切り離す技術が開示されている。
【０００４】
また、下記特許文献２では、保護制御装置のＣＴ２次入力回路に挿入する試験用プラグの回路確認を確実かつ容易に行う技術が開示されている。
【先行技術文献】
【特許文献】
【０００５】
【特許文献１】特許第２９３６３０３号公報
【特許文献２】特開平８−１５３１５号公報
【発明の概要】
【発明が解決しようとする課題】
【０００６】
しかしながら、上記従来技術では、通電中のＣＴの２次回路の閉ループを維持するための配線や、保護制御装置に実装する継電器の試験のための配線を行う必要がある。これらの配線作業は、保護制御装置の保守・点検の際に保護制御装置をＣＴの２次回路から切り離す度に行う必要がある。また、試験用プラグは、製造メーカ毎に種類が異なることもあり、さらに試験用プラグの種類によって構造が異なることもあるので、配線作業の際に運用者のヒューマンエラーによる誤配線の虞がある。このような誤配線を防止し、確実に保護制御装置をＣＴの２次回路から切り離すためには、配線の導通確認に時間がかかり、保護制御装置の切り離しが容易ではない、という問題があった。
【０００７】
本発明は、上記に鑑みてなされたものであって、容易かつ確実にＣＴの２次回路から保護制御装置の切り離しを行うことができる切替回路を得ることを目的とする。
【課題を解決するための手段】
【０００８】
上述した課題を解決し、目的を達成するために、本発明にかかる切替回路は、電力系統の３相交流電流を検出する各変流器の２次回路と前記電力系統の保護・制御を行う保護制御装置との間に設けられ、前記保護制御装置と前記２次回路との接続および切り離しを行う切替回路であって、前記２次回路を接続対象とする１組の入力端子と、前記保護制御装置を接続対象とする１組の出力端子と、前記入力端子と前記出力端子との間に介在し、前記２次回路と前記保護制御装置とが接続される状態と、切り離しされる状態とを形成可能とし、且つ、前記２次回路と前記保護制御装置との接続状態の如何に関わらず、前記２次回路が短絡される状態を形成可能に構成される接点部群と、を備えたことを特徴とする。
【発明の効果】
【０００９】
この発明によれば、容易かつ確実にＣＴの２次回路から保護制御装置の切り離しを行うことができる、という効果を奏する。
【図面の簡単な説明】
【００１０】
【図１】図１は、実施の形態１にかかる切替回路の一構成例を示す図である。
【図２】図２は、実施の形態１にかかる切替回路の概略回路図である。
【図３】図３は、実施の形態１にかかる切替回路に適用するコントロールスイッチの機構を示す図である。
【図４】図４は、実施の形態２にかかる切替回路の一構成例を示す図である。
【図５】図５は、実施の形態２にかかる切替回路の別の一構成例を示す図である。
【図６】図６は、実施の形態３にかかる切替回路の一構成例を示す図である。
【図７】図７は、実施の形態４にかかる切替回路の一構成例を示す図である。
【図８】図８は、実施の形態５にかかる切替回路の一構成例を示す図である。
【図９】図９は、実施の形態６にかかる切替回路の一構成例を示す図である。
【図１０】図１０は、実施の形態７にかかる切替回路の一構成例を示す図である。
【図１１】図１１は、実施の形態７にかかる切替回路のスイッチハンドルの各操作位置における接続状態を示す図である。
【図１２】図１２は、実施の形態８にかかる切替回路の一構成例を示す図である。
【図１３】図１３は、実施の形態９にかかる切替回路の一構成例を示す図である。
【発明を実施するための形態】
【００１１】
以下に、添付図面を参照して、本発明の実施の形態にかかる切替回路を詳細に説明する。なお、この実施の形態により本発明が限定されるものではない。
【００１２】
実施の形態１． 
図１は、実施の形態１にかかる切替回路の一構成例を示す図である。なお、実施の形態１にかかる切替回路２０は、三相交流の各相毎に設けられるが、各相毎の切替回路２０の構成は同一であるので、ここでは、代表相一相について説明する。
【００１３】
図１に示すように、実施の形態１にかかる切替回路２０は、ＣＴ１の２次回路を接続する入力端子３０と、保護制御装置６を接続する出力端子４０と、コントロールスイッチ１００とを備えている。
【００１４】
コントロールスイッチ１００は、接点部群２００と、スイッチハンドル７０とを備えている。
【００１５】
接点部群２００は、端子２１１および端子２１２を有する第１の接点部２１０と、端子２２１および端子２２２を有する第２の接点部２２０と、端子２３１および端子２３２を有する第３の接点部２３０とを備えている。
【００１６】
接点部群２００は、端子２１１と端子２２１とが接続され、入力端子３０の一端と接続されている。また、接点部群２００は、端子２３１と端子２２２とが接続され、入力端子３０の他端と接続されている。また、接点部群２００は、端子２１２が出力端子４０の一端と接続され、端子２３２が出力端子４０の他端と接続されている。なお、図１において、接点部群２００の各接点部に示した点および実線は、その接点部が閉路していることを示している。
【００１７】
接点部群２００の状態としては、第１の接点部２１０および第３の接点部２３０が閉路し第２の接点部２０２が開路した第１の状態と、第１の接点部２１０および第３の接点部２３０が開路し第２の接点部２２０が閉路した第２の状態と、第１の接点部２１０、第２の接点部２２０および第３の接点部２３０が閉路した中間状態とを有している。
【００１８】
第１の状態では、入力端子３０と出力端子４０との間が接続される。すなわち、第１の状態では、ＣＴ１の２次回路と保護制御装置６との間が接続された「運用」状態となる。
【００１９】
第２の状態では、入力端子３０の両端が短絡される。すなわち、第２の状態では、ＣＴ１の２次回路の両端が短絡されるとともにＣＴ１の２次回路から保護制御装置６が切り離された「停止」状態となる。
【００２０】
中間状態では、入力端子３０と出力端子４０との間が接続されるとともに、入力端子３０の両端が短絡される。すなわち、中間状態では、ＣＴ１の２次回路と保護制御装置６との間が接続されるとともにＣＴ１の２次回路の両端が短絡された状態となる。
【００２１】
図２は、実施の形態１にかかる切替回路の概略回路図である。図２（ａ）は、第１の状態、すなわち「運用」状態における接続を示し、図２（ｂ）は、中間状態における接続を示し、図２（ｃ）は、第２の状態、すなわち「停止」状態における接続を示している。
【００２２】
図３は、実施の形態１にかかる切替回路に適用するコントロールスイッチの機構を示す図である。図３に示すように、コントロールスイッチ１００の接点部群２００の接点構成としては、第１の接点部２１０の閉路範囲および第３の接点部２３０の閉路範囲と第２の接点部２２０の閉路範囲とが所定の区間においてオーバーラップするラップ接点を適用している。これにより、スイッチハンドル７０の操作位置を、「運用」位置と「停止」位置との間で遷移させる過程において、上述した中間状態を経由することとなり、ＣＴ１の２次回路の閉ループを確実に維持したまま、保護制御装置６の切り離しおよび接続が可能となる。
【００２３】
以上のように、本発明の実施の形態１にかかる切替回路によれば、ＣＴの２次回路と保護制御装置との間が接続された第１の状態となる「運用」位置と、ＣＴの２次回路の両端が短絡されるとともにＣＴ１の２次回路から保護制御装置６が切り離された第２の状態となる「停止」位置との間に、ＣＴの２次回路と保護制御装置との間が接続されるとともにＣＴの２次回路の両端が短絡された中間状態となる区間を設けたので、ＣＴの２次回路の閉ループを維持した状態で、容易かつ確実にＣＴの２次回路から保護制御装置を切り離すことができる。
【００２４】
実施の形態２．
実施の形態１では、ＣＴの２次回路の閉ループを維持した状態で、ＣＴの２次回路から保護制御装置を切り離す例を示したが、実施の形態２では、ＣＴの２次回路から切り離した保護制御装置に外部試験装置からの試験電流を入力する試験入力端子を設ける例について説明する。
【００２５】
図４は、実施の形態２にかかる切替回路の一構成例を示す図である。図５は、実施の形態２にかかる切替回路の別の一構成例を示す図である。なお、実施の形態２にかかる切替回路２０ａ，２０ｂは、実施の形態１と同様に、三相交流の各相毎に設けられるが、各相毎の切替回路２０ａ，２０ｂの構成は同一であるので、ここでは、代表相一相について説明する。また、実施の形態１と同一または同等の構成部には同一符号を付して、その詳細な説明は省略する。
【００２６】
図４に示すように、実施の形態２にかかる切替回路２０ａは、実施の形態１の構成に加え、保護制御装置６に試験電流を入力する試験入力端子５０をさらに備えている。また、切替回路２０ａは、実施の形態１にかかる構成のコントロールスイッチ１００に代えて、コントロールスイッチ１００ａを備えている。コントロールスイッチ１００ａは、試験接点部群３００をさらに備えている。また、コントロールスイッチ１００ａは、実施の形態１にかかる構成のスイッチハンドル７０に代えて、スイッチハンドル７０ａを備えている。
【００２７】
試験接点部群３００は、端子３１１および端子３１２を有する第１の試験接点部３１０と、端子３２１および端子３２２を有する第２の試験接点部３２０とを備えている。
【００２８】
接点部群３００は、端子３１１が試験入力端子５０の一端と接続され、端子３１２が出力端子４０の一端と接続されている。また、接点部群３００は、端子３２１が試験入力端子５０の他端と接続され、端子３２２が出力端子４０の他端と接続されている。なお、図４において、接点部群３００の各接点部に示した点は、実施の形態１と同様に、その接点部が閉路していることを示している。
【００２９】
第１の試験接点部３１０および第２の試験接点部３２０は、第２の状態となる「停止」位置（図４では「試験」位置）のみで閉路する接点部である。これらの試験接点部群３００の各試験接点部の接点構成としては、接点部群２００の各接点部と異なり、試験接点部群３００の各試験接点部の閉路範囲と接点部群２００の各接点部の閉路範囲とがオーバーラップするラップ接点を適用しない。このように構成することにより、ＣＴ１の２次回路と保護制御装置６とが接続された状態で、外部試験装置と保護制御装置６とが誤接続されることを防止している。
【００３０】
図５に示す切替回路２０ｂは、図４に示す構成のコントロールスイッチ１００ａに代えて、コントロールスイッチ１００ｂを備えている。コントロールスイッチ１００ｂは、図４に示す構成のスイッチハンドル７０ａに代えて、スイッチハンドル７０ｂを備えている。スイッチハンドル７０ｂの操作位置としては、第２の状態となる操作位置として、試験入力端子５０と保護制御装置６とを接続しない「除外」位置と、試験入力端子５０と保護制御装置６とを接続する「試験」位置とを備えている。このように構成すれば、スイッチハンドル７０ｂの操作位置を「除外」位置とすることにより、例えば外部試験装置を接続したままであっても、安全に保護制御装置６を切替回路２０ｂから取り外すことができる。
【００３１】
以上のように、本発明の実施の形態２にかかる切替回路によれば、外部試験装置からの試験電流を保護制御装置に入力する試験入力端子を設けたので、保護制御装置を切替回路から取り外すことなく、保護制御装置の試験を実施することができる。
【００３２】
また、「試験」位置のみで試験入力端子と保護制御装置とが接続されるようにしたので、ＣＴの２次回路と保護制御装置とが接続された状態で、外部試験装置と保護制御装置とが誤接続されることを防止することができる。
【００３３】
実施の形態３．
実施の形態１および実施の形態２では、１つの保護制御装置の接続および切り離しについて説明したが、実施の形態３では、２つの保護制御装置の切り替え（以下「系列切替」という）およびＣＴの２次回路からの切り離し（以下「両系列停止」という）を行う例について説明する。
【００３４】
図６は、実施の形態３にかかる切替回路の一構成例を示す図である。実施の形態３にかかる切替回路２１は、三相交流の各相毎に設けられる。なお、各相毎の切替回路２１の構成は同一であるので、ここでは、代表相一相について説明する。
【００３５】
図６に示すように、実施の形態３にかかる切替回路２１は、ＣＴ１の２次回路を接続する入力端子３１と、第１の保護制御装置６１を接続する第１出力端子４１と、第２の保護制御装置６２を接続する第２出力端子４２と、コントロールスイッチ１１１とを備えている。
【００３６】
コントロールスイッチ１１１は、接点部群４００と、スイッチハンドル７１とを備えている。
【００３７】
接点部群４００は、端子４１１および端子４１２を有する第１の接点部４１０と、端子４２１および端子４２２を有する第２の接点部４２０と、端子４３１および端子４３２を有する第３の接点部４３０と、端子４４１および端子４４２を有する第４の接点部４４０と、端子４５１および端子４５２を有する第５の接点部４５０と、端子４６１および端子４６２を有する第６の接点部４６０とを備えている。
【００３８】
接点部群４００は、端子４１１と端子４２１とが接続され、入力端子３１の一端と接続されている。また、接点部群４００は、端子４３１と端子４２２と端子４４１と端子４５１とが接続されている。また、接点部群４００は、端子４６１と端子４５２とが接続され、入力端子３０の他端と接続されている。また、接点部群４００は、端子４１２が第１出力端子４１の一端と接続され、端子４３２が第１出力端子４１の他端と接続されている。また、接点部群４００は、端子４４２が第２出力端子４２の一端と接続され、端子４６２が第２出力端子４２の他端と接続されている。
【００３９】
接点部群４００の接点構成としては、第１の接点部４１０の閉路範囲および第３の接点部４３０の閉路範囲と第２の接点部４２０の閉路範囲とが所定の区間においてオーバーラップし、第４の接点部４４０の閉路範囲および第６の接点部４６０の閉路範囲と第５の接点部４５０の閉路範囲とが所定の区間においてオーバーラップするラップ接点を適用している。なお、図６において、接点部群４００の各接点部に示した点および実線は、その接点部が閉路していることを示している。
【００４０】
接点部群４００の状態としては、第１の接点部４１０、第３の接点部４３０、第５の接点部４５０が閉路し、第２の接点部４２０、第４の接点部４４０、第６の接点部４６０が開路した第１の状態と、第２の接点部４２０、第４の接点部４４０、第６の接点部４６０が閉路し、第１の接点部４１０、第３の接点部４３０、第５の接点部４５０が開路した第２の状態と、第２の接点部４２０、第５の接点部４５０が閉路し、第１の接点部４１０、第３の接点部４３０、第４の接点部４４０、第６の接点部４６０が開路した第３の状態とを有している。
【００４１】
第１の状態では、入力端子３１と第１出力端子４１との間が接続される。すなわち、第１の状態では、ＣＴ１の２次回路と第１の保護制御装置６１とが接続された「第１系列運用」状態となる。
【００４２】
第２の状態では、入力端子３１と第２出力端子４２との間が接続される。すなわち、第２の状態では、ＣＴ１の２次回路と第２の保護制御装置６２とが接続された「第２系列運用」状態となる。
【００４３】
第３の状態では、入力端子３１の両端が短絡される。すなわち、第３の状態では、ＣＴ１の２次回路の両端が短絡されるとともにＣＴ１の２次回路から第１の保護制御装置６１および第２の保護制御装置６２が切り離された「両系列停止」状態となる。
【００４４】
図６に示すように、実施の形態１にかかる切替回路２１では、スイッチハンドル７１の操作位置として、第１の状態となる「第１系列運用」位置と第２の状態となる「第２系列運用」位置と第３の状態となる「両系列停止」位置とを設けている。
【００４５】
このスイッチハンドル７１の操作位置を、「第１系列運用」位置と「第２系列運用」位置との間で遷移させる過程において、第１の接点部４１０、第２の接点部４２０、第３の接点部４３０、第４の接点部４４０、第５の接点部４５０、第６の接点部４６０が閉路した第１の中間状態を経由するようにしている。この第１の中間状態では、入力端子３１と第１出力端子４１との間および入力端子３１と第２出力端子４２との間が接続されるとともに、入力端子３１の両端が短絡される。すなわち、第１の中間状態では、ＣＴ１の２次回路と第１の保護制御装置６１との間およびＣＴ１の２次回路と第２の保護制御装置６２との間が接続されるとともにＣＴ１の２次回路の両端が短絡された状態となる。したがって、ＣＴ１の２次回路の閉ループを確実に維持したまま、「第１系列運用」状態と「第２系列運用」状態とを切り替えることができる。
【００４６】
また、スイッチハンドル７１の操作位置を、「第１系列運用」位置と「両系列停止」位置との間で遷移させる過程において、第１の接点部４１０、第２の接点部４２０、第３の接点部４３０、第５の接点部４５０が閉路し、第４の接点部４４０、第６の接点部４６０が開路した第２の中間状態を経由するようにしている。この第２の中間状態では、入力端子３１と第１出力端子４１との間が接続されるとともに、入力端子３１の両端が短絡される。すなわち、第２の中間状態では、ＣＴ１の２次回路と第１の保護制御装置６１との間が接続されるとともにＣＴ１の２次回路の両端が短絡された状態となる。したがって、ＣＴ１の２次回路の閉ループを確実に維持したまま、「第１系列運用」状態と「両系列停止」状態とを切り替えることができる。
【００４７】
また、スイッチハンドル７１の操作位置を、「第２系列運用」位置と「両系列停止」位置との間で遷移させる過程において、第２の接点部４２０、第４の接点部４４０、第５の接点部４５０、第６の接点部４６０が閉路し、第１の接点部４１０、第３の接点部４３０が開路した第３の中間状態を経由するようにしている。この第３の中間状態では、入力端子３１と第２出力端子４２との間が接続されるとともに、入力端子３１の両端が短絡される。すなわち、第３の中間状態では、ＣＴ１の２次回路と第２の保護制御装置６２との間が接続されるとともにＣＴ１の２次回路の両端が短絡された状態となる。したがって、ＣＴ１の２次回路の閉ループを確実に維持したまま、「第２系列運用」状態と「両系列停止」状態とを切り替えることができる。
【００４８】
以上のように、本発明の実施の形態３にかかる切替回路によれば、ＣＴの２次回路と第１の保護制御装置との間が接続された第１の状態となる「第１系列運用」位置と、ＣＴの２次回路と第２の保護制御装置との間が接続された第２の状態となる「第２系列運用」位置との間に、ＣＴの２次回路と第１の保護制御装置との間およびＣＴの２次回路と第２の保護制御装置との間が接続されるとともにＣＴの２次回路の両端が短絡された第１の中間状態となる区間を設け、「両系列停止」位置と「第１系列運用」位置との間に、ＣＴの２次回路と第１の保護制御装置との間が接続されるとともにＣＴの２次回路の両端が短絡された第２の中間状態となる区間を設け、「第２系列運用」位置と、ＣＴの２次回路の両端が短絡されるとともにＣＴの２次回路から第１の保護制御装置および第２の保護制御装置が切り離された「両系列停止」位置との間に、ＣＴの２次回路と第２の保護制御装置との間が接続されるとともにＣＴの２次回路の両端が短絡された第３の中間状態となる区間を設けたので、ＣＴの２次回路の閉ループを維持した状態で、容易かつ確実に、系列切替および両系列停止への切り替えを行うことができる。
【００４９】
実施の形態４．
実施の形態３では、「第１系列運用」位置と「第２系列運用」位置の間の一方に「両系列停止」位置を設ける例を示したが、実施の形態４では、「第１系列運用」位置と「第２系列運用」位置の間の両方に「両系列停止」位置を設ける例について説明する。
【００５０】
図７は、実施の形態４にかかる切替回路の一構成例を示す図である。実施の形態４にかかる切替回路２２は、三相交流の各相毎に設けられるが、各相毎の切替回路２２の構成は同一であるので、ここでは、代表相一相について説明する。また、実施の形態３と同一または同等の構成部には同一符号を付して、その詳細な説明は省略する。
【００５１】
図７に示すように、実施の形態４にかかる切替回路２２は、コントロールスイッチ１１１に代えてコントロールスイッチ１１２を備えている。
【００５２】
コントロールスイッチ１１２は、接点部群４００ａと、スイッチハンドル７２とを備えている。なお、接点部群４００ａの接続および接点構成は、実施の形態３において説明した接点部群４００と同様であるので、その詳細な説明は省略する。なお、図７において、接点部群４００ａの各接点部に示した点および実線は、実施の形態１〜３と同様に、その接点部が閉路していることを示している。
【００５３】
図７に示すように、実施の形態４にかかる切替回路２２では、スイッチハンドル７２の操作位置として、「第１系列運用」位置と「第２系列運用」位置との間の両方に「両系列停止」位置を設けている。
【００５４】
このスイッチハンドル７２の操作位置を、「第１系列運用」位置と「両系列停止」位置との間で遷移させる過程において、第２の中間状態を経由するようにしている。したがって、ＣＴ１の２次回路の閉ループを確実に維持したまま、「第１系列運用」状態と「両系列停止」状態とを切り替えることができる。
【００５５】
また、スイッチハンドル７２の操作位置を、「第２系列運用」位置と「両系列停止」位置との間で遷移させる過程において、第３の中間状態を経由するようにしている。したがって、ＣＴ１の２次回路の閉ループを確実に維持したまま、「第２系列運用」状態と「両系列停止」状態とを切り替えることができる。
【００５６】
以上のように、本発明の実施の形態４にかかる切替回路によれば、「第１系列運用」位置と「第２系列運用」位置との間の両方に両系列停止位置を設けたので、系列切替の間に必ず両系列停止とする運用形態に対応することができる。
【００５７】
実施の形態５．
実施の形態３および実施の形態４では、「第１系列運用」位置と「第２系列運用」位置との間の一方あるいは両方に両系列停止位置を設ける例を示したが、実施の形態５では、第１系列運用位置と第２系列運用位置との間に第１の保護制御装置および第２の保護制御装置の両方をＣＴの２次回路に接続する「両系列併用」位置を設ける例について説明する。
【００５８】
図８は、実施の形態５にかかる切替回路の一構成例を示す図である。実施の形態５にかかる切替回路２３は、三相交流の各相毎に設けられるが、各相毎の切替回路２３の構成は同一であるので、ここでは、代表相一相について説明する。また、実施の形態３あるいは実施の形態４と同一または同等の構成部には同一符号を付して、その詳細な説明は省略する。
【００５９】
図８に示すように、実施の形態５にかかる切替回路２３は、コントロールスイッチ１１１あるいはコントロールスイッチ１１２に代えてコントロールスイッチ１１３を備えている。
【００６０】
コントロールスイッチ１１３は、接点部群４００ｂと、スイッチハンドル７３とを備えている。なお、接点部群４００ｂの接続および接点構成は、実施の形態３において説明した接点部群４００と同様であるので、その詳細な説明は省略する。なお、図８において、接点部群４００ｂの各接点部に示した点および実線は、実施の形態１〜４と同様に、その接点部が閉路していることを示している。
【００６１】
接点部群４００ｂの状態としては、第３の状態に代えて、第１の接点部４１０および第３の接点部４３０、第４の接点部４４０、第６の接点部４６０が閉路し、第２の接点部４２０、第５の接点部４５０が開路した第４の状態を有している。
【００６２】
第４の状態では、入力端子３１と第１出力端子４１との間が接続されるとともに、入力端子３１と第２出力端子４２との間が接続される。すなわち、第４の状態では、ＣＴ１の２次回路と第１の保護制御装置６１とが接続されるとともにＣＴ１の２次回路と第２の保護制御装置６２とが接続された「両系列併用」状態となる。
【００６３】
図８に示すように、実施の形態５にかかる切替回路２３では、スイッチハンドル７３の操作位置として、実施の形態３および４で説明した「両系列停止」位置に代えて、第４の状態となる「両系列併用」位置を設けている。
【００６４】
このスイッチハンドル７３の操作位置を、「第１系列運用」位置と「両系列併用」位置との間で遷移させる過程において、第１の接点部４１０および第３の接点部４３０、第４の接点部４４０、第５の接点部４５０、第６の接点部４６０が閉路し、第２の接点部４２０が開路した第４の中間状態を経由するようにしている。この第４の中間状態では、入力端子３１と第１出力端子４１との間および入力端子３１と第２出力端子４２との間が接続されるとともに、第２出力端子４２の両端が短絡される。すなわち、第４の中間状態では、ＣＴ１の２次回路と第１の保護制御装置６１との間が接続された状態が維持される。したがって、ＣＴ１の２次回路の閉ループを確実に維持したまま、「第１系列運用」状態と「両系列併用」状態とを切り替えることができる。
【００６５】
また、スイッチハンドル７３の操作位置を、「第２系列運用」位置と「両系列併用」位置との間で遷移させる過程において、第１の接点部４１０、第２の接点部４２０、第３の接点部４３０、第４の接点部４４０、第６の接点部４６０が閉路し、第５の接点部４５０が開路した第５の中間状態を経由するようにしている。この第５の中間状態では、入力端子３１と第１出力端子４１との間および入力端子３１と第２出力端子４２との間が接続されるとともに、第１出力端子４１の両端が短絡される。すなわち、第５の中間状態では、ＣＴ１の２次回路と第２の保護制御装置６２との間が接続された状態が維持される。したがって、ＣＴ１の２次回路の閉ループを確実に維持したまま、「第２系列運用」状態と「両系列併用」状態とを切り替えることができる。
【００６６】
以上のように、本発明の実施の形態４にかかる切替回路によれば、「第１系列運用」位置と「第２系列運用」位置の間に「両系列併用」位置を設けたので、容易かつ確実に、系列切替および両系列併用運転への切り替えを行うことができる。
【００６７】
実施の形態６．
実施の形態５では、「両系列停止」位置に代えて「両系列併用」位置を設ける例を示したが、実施の形態６では、「第１系列運用」位置と「第２系列運用」位置の間の一方に「両系列停止」位置を設け、他方に「両系列併用」位置を設ける例について説明する。
【００６８】
図９は、実施の形態６にかかる切替回路の一構成例を示す図である。実施の形態６にかかる切替回路２４は、三相交流の各相毎に設けられるが、各相毎の切替回路２４の構成は同一であるので、ここでは、代表相一相について説明する。また、実施の形態３〜５と同一または同等の構成部には同一符号を付して、その詳細な説明は省略する。
【００６９】
図９に示すように、実施の形態６にかかる切替回路２４は、コントロールスイッチ１１１、コントロールスイッチ１１２あるいはコントロールスイッチ１１３に代えてコントロールスイッチ１１４を備えている。
【００７０】
コントロールスイッチ１１４は、接点部群４００ｃと、スイッチハンドル７４とを備えている。なお、接点部群４００ｃの接続および接点構成は、実施の形態３において説明した接点部群４００と同様であるので、その詳細な説明は省略する。なお、図９において、接点部群４００ｃの各接点部に示した点および実線は、実施の形態１〜５と同様に、その接点部が閉路していることを示している。
【００７１】
接点部群４００ｃの状態としては、実施の形態３および実施の形態５において説明した第１，第２，第３および第４の状態を有している。
【００７２】
図９に示すように、実施の形態６にかかる切替回路２４では、スイッチハンドル７４の操作位置として、「第１系列運用」位置と「第２系列運用」位置との間の一方に「両系列停止」位置を設け、他方に「両系列併用」位置を設けている。
【００７３】
このスイッチハンドル７４の操作位置を、「第１系列運用」位置と「両系列停止」位置との間で遷移させる過程において、第２の中間状態を経由するようにしている。したがって、ＣＴ１の２次回路の閉ループを確実に維持したまま、「第１系列運用」状態と「両系列停止」状態とを切り替えることができる。
【００７４】
また、スイッチハンドル７４の操作位置を、「第１系列運用」位置と「両系列併用」位置との間で遷移させる過程において、第４の中間状態を経由するようにしている。したがって、ＣＴ１の２次回路の閉ループを確実に維持したまま、「第１系列運用」状態と「両系列併用」状態とを切り替えることができる。
【００７５】
また、スイッチハンドル７４の操作位置を、「第２系列運用」位置と「両系列停止」位置との間で遷移させる過程において、第３の中間状態を経由するようにしている。したがって、ＣＴ１の２次回路の閉ループを確実に維持したまま、「第２系列運用」状態と「両系列停止」状態とを切り替えることができる。
【００７６】
また、スイッチハンドル７４の操作位置を、「第２系列運用」位置と「両系列併用」位置との間で遷移させる過程において、第５の中間状態を経由するようにしている。したがって、ＣＴ１の２次回路の閉ループを確実に維持したまま、「第２系列運用」状態と「両系列併用」状態とを切り替えることができる。
【００７７】
以上のように、本発明の実施の形態６にかかる切替回路によれば、「第１系列運用」位置と「第２系列運用」位置との間の一方に「両系列停止」位置を設け、他方に「両系列併用」位置を設けたので、容易かつ確実に、系列切替、両系列停止への切り替え、および両系列併用運転への切り替えを行うことができる。
【００７８】
実施の形態７． 
実施の形態３〜６では、ＣＴ１の２次回路の閉ループを維持した状態で、２つの保護制御装置の系列切替、両系列停止への切り替え、あるいは両系列併用運転への切り替えを行う例を示したが、実施の形態７では、ＣＴの２次回路から切り離した保護制御装置に外部試験装置からの試験電流を入力する試験入力端子を設ける例について説明する。
【００７９】
図１０は、実施の形態７にかかる切替回路の一構成例を示す図である。実施の形態４にかかる切替回路２５は、三相交流の各相毎に設けられるが、各相毎の切替回路２５の構成は同一であるので、ここでは、代表相一相について説明する。また、実施の形態３〜６と同一または同等の構成部には同一符号を付して、その詳細な説明は省略する。
【００８０】
図１０に示すように、実施の形態７にかかる切替回路２５では、実施の形態３の構成に加え、第１の保護制御装置６１に試験電流を入力する第１試験入力端子５１と、第２の保護制御装置６２に試験電流を入力する第２試験入力端子５２とをさらに備えている。
【００８１】
コントロールスイッチ１２１は、試験接点部群５００をさらに備えている。なお、図１０に示す例では、接点部群４００およびスイッチハンドル７１は、実施の形態３にかかる切替回路２１と同一としているが、実施の形態４にかかる保護制御装置の切替回路２２、実施の形態５にかかる切替回路２３、あるいは実施の形態６にかかる切替回路２４のいずれかと同一であってもよい。
【００８２】
試験接点部群５００は、端子５１１および端子５１２を有する第１の試験接点部５１０と、端子５２１および端子５２２を有する第２の試験接点部５２０と、端子６１１および端子６１２を有する第３の試験接点部６１０と、端子６２１および端子６２２を有する第４の試験接点部６２０とを備えている。
【００８３】
試験接点部群５００は、端子５１１が試験入力端子５１の一端と接続され、端子５１２が第１出力端子４１の一端と接続され、端子５２１が試験入力端子５１の他端と接続され、端子５２２が第１出力端子４１の他端と接続されている。また、試験接点部群５００は、端子６１１が試験入力端子５２の一端と接続され、端子６１２が第２出力端子４２の一端と接続され、端子６２１が試験入力端子５２の他端と接続され、端子６２２が第２出力端子４２の他端と接続されている。なお、図１０において、試験接点部群５００の各接点部に示した点は、実施の形態２と同様に、その接点部が閉路していることを示している。
【００８４】
第１の試験接点部５１０および第２の試験接点部５２０は、「第２系列運用」位置および「両系列停止」位置のみで閉路する接点部である。また、第３の試験接点部６１０および第４の試験接点部６２０は、「第１系列運用」位置および「両系列停止」位置のみで閉路する接点である。この試験接点部群５００の各試験接点部の接点構成としては、接点部群４００の各接点部と異なり、試験接点部群５００の各試験接点部の閉路範囲と接点部群４００の各接点部の閉路範囲とがオーバーラップするラップ接点を適用しない。このように構成することにより、ＣＴ１の２次回路と第１の保護制御装置６１とが接続された状態で、外部試験装置と第１保護制御装置６１とが誤接続されることを防止し、同様に、ＣＴ１の２次回路と第２の保護制御装置６２とが接続された状態で、外部試験装置と第２保護制御装置６２とが誤接続されることを防止している。
【００８５】
図１１は、実施の形態７にかかる切替回路のスイッチハンドルの各操作位置における接続状態を示す図である。
【００８６】
図１１（ａ）は、「第１系列運用」位置における接続状態を示している。図１１（ａ）に示すように、「第１系列運用」位置では、切替回路２５を介してＣＴ１の２次回路と第１の保護制御装置６１とが接続され、第２試験入力端子５２と第２の保護制御装置６２とが接続される。
【００８７】
図１１（ｂ）は、「第２系列運用」位置における接続状態を示している。図１１（ｂ）に示すように、「第２系列運用」位置では、切替回路２５を介してＣＴ１の２次回路と第２の保護制御装置６２とが接続され、第１試験入力端子５１と第１の保護制御装置６１とが接続される。
【００８８】
図１１（ｃ）は、「両系列停止」位置における接続状態を示している。図１１（ｃ）に示すように、「両系列停止」位置では、第１試験入力端子５１と第１の保護制御装置６１とが接続されるとともに、第２試験入力端子５２と第２の保護制御装置６２とが接続される。
【００８９】
以上のように、本発明の実施の形態７にかかる切替回路によれば、ＣＴの２次回路に接続されていない保護制御装置を試験入力端子に接続するようにしたので、ＣＴの２次回路と保護制御装置とが接続された状態で、外部試験装置と保護制御装置とが誤接続されることを防止することができる。
【００９０】
実施の形態８．
実施の形態３〜７では、２つの保護制御装置の系列切替、両系列停止への切り替え、あるいは両系列併用運転への切り替えを行う例を示したが、実施の形態８では、複数の保護制御装置毎に個別切替部を設け、保護制御装置毎に個別に接続および切り離しを行う例について説明する。
【００９１】
図１２は、実施の形態８にかかる切替回路の一構成例を示す図である。図１２に示すように、実施の形態８にかかる切替回路２６は、第１の保護制御装置６１の接続および切り離しを行う個別切替部８１と、第２の保護制御装置６２の接続および切り離しを行う個別切替部８２と、ＣＴ１の２次回路を接続する入力部３と、第１の保護制御装置６１を接続する第１出力部４Ａと、第２の保護制御装置６２を接続する第２出力部４Ｂと、第１の保護制御装置６１に試験電流を入力する第１試験入力部５Ａと、第２の保護制御装置６２に試験電流を入力する第２試験入力部５Ｂとを備えている。なお、個別切替部８１，８２は、それぞれ三相交流の各相毎に設けられるが、各相毎の個別切替部８１，８２の構成は同一であるので、ここでは、代表相一相について説明する。また、図１２に示す例では、２つの保護制御装置毎に個別切替部を備えているが、保護制御装置および個別切替部の数は、それぞれ３つ以上の複数個であってもよい。
【００９２】
個別切替部８１，８２の構成は、実施の形態２にかかる切替回路２０ｂと同一であるので、その詳細な説明は省略する。なお、図１２に示す例では、個別切替部８１，８２の構成は、実施の形態２にかかる切替回路２０ａと同一構成としているが、切替回路２０ｂと同一構成とすることも可能である。
【００９３】
実施の形態８にかかる切替回路２６は、個別切替部８１の入力端子３０の一端と個別切替部８２の入力端子３０の一端とが接続され構成される。入力部３は、入力端子３０の他端と個別切替部８２の入力端子３０の他端との間に接続される。また、第１出力部４Ａは、個別切替部８１の出力端子４０に接続され、第２出力部４Ｂは、個別切替部８２の出力端子４０に接続される。また、第１試験入力部５Ａは、個別切替部８１の試験入力端子５０に接続され、第２試験入力部５Ｂは、個別切替部８２の試験入力端子５０に接続される。
【００９４】
このように構成することにより、各個別切替部８１，８２のスイッチハンドル７０ｂを個別に操作することにより、第１および第２の保護制御装置６１，６２の接続および切り離しを個別に行うことができる。
【００９５】
以上のように、本発明の実施の形態８にかかる切替回路によれば、複数の保護制御装置毎に、個別に接続および切り離しを切り替える個別切替部を設けたので、保護制御装置の数の増加にも柔軟に対応することができ、多様な運用形態に対応することが可能となる。
【００９６】
実施の形態９．
実施の形態８では、複数の保護制御装置毎に個別切替部を設ける例を示したが、系列切替、両系列停止への切り替え、あるいは両系列併用運転への切り替えを行う際に、複数の個別切替部に設けられたスイッチハンドルを個別に操作する必要がある。実施の形態９では、２つの保護制御装置の系列切替、両系列停止への切り替え、あるいは両系列併用運転への切り替えを行う系列切替部と、２つの保護制御装置毎に個別に接続および切り離しを行う２つの個別切替部とを設ける例について説明する。
【００９７】
図１３は、実施の形態９にかかる切替回路の一構成例を示す図である。図１３に示すように、実施の形態９にかかる切替回路２７は、第１の保護制御装置６１の接続および切り離しを行う個別切替部８３と、第２の保護制御装置６２の接続および切り離しを行う個別切替部８４と、第１の保護制御装置６１および第２の保護制御装置６２の系列切替および両系列停止への切り替えを行う系列切替部９１と、ＣＴ１の２次回路を接続する入力部３と、第１の保護制御装置６１を接続する第１出力部４Ａと、第２の保護制御装置６２を接続する第２出力部４Ｂと、第１の保護制御装置６１に試験電流を入力する第１試験入力部５Ａと、第２の保護制御装置６２に試験電流を入力する第２試験入力部５Ｂとを備えている。なお、個別切替部８３，８４および系列切替部９１は、それぞれ三相交流の各相毎に設けられるが、各相毎の個別切替部８３，８４および系列切替部９１の構成は同一であるので、ここでは、代表相一相について説明する。
【００９８】
個別切替部８３，８４の構成は、実施の形態２にかかる切替回路２０ａと同一であるので、その詳細な説明は省略する。なお、図１３に示す例では、「運用」（接続）位置を「平常」位置とし、「停止」（切り離し）位置を「試験」位置としている。また、図１３に示す例では、個別切替部８３，８４の構成は、実施の形態２にかかる切替回路２０ａと同一構成としているが、切替回路２０ｂと同一構成とすることも可能である。
【００９９】
また、系列切替部９１の構成は、実施の形態３にかかる切替回路２１と同一であるので、その詳細な説明は省略する。なお、図１３に示す例では、系列切替部９１の構成は、実施の形態３にかかる切替回路２１と同一構成としているが、実施の形態４にかかる切替回路２２、実施の形態５にかかる切替回路２３、あるいは実施の形態６にかかる切替回路２４と同一構成とすることも可能である。
【０１００】
実施の形態９にかかる切替回路２７は、系列切替部９１の第１出力端子と個別切替部８１の入力端子３０とが接続され、系列切替部９１の第２出力端子と個別切替部８２の入力端子３０とが接続され構成される。入力部３は、系列切替部９１の入力端子３１に接続される。また、第１出力部４Ａは、個別切替部８３の出力端子４０に接続され、第２出力部４Ｂは、個別切替部８４の出力端子４０に接続される。また、第１試験入力部５Ａは、個別切替部８３の試験入力端子５０に接続され、第２試験入力部５Ｂは、個別切替部８４の試験入力端子５０に接続される。
【０１０１】
このように構成することにより、系列切替部９１のスイッチハンドル７１により、第１の保護制御装置および第２の保護制御装置の系列切替、両系列停止への切り替え、あるいは両系列併用運転への切り替えを行い、各個別切替部８３，８４のスイッチハンドル７０ｂにより、第１の保護制御装置６１および第２の保護制御装置６２の接続および切り離しを個別に切り替えることができる。
【０１０２】
以上のように、本発明の実施の形態９にかかる切替回路によれば、複数の保護制御装置毎に個別に接続および切り離しを行う個別切替部を設けるとともに、第１の保護制御装置および第２の保護制御装置の系列切替、両系列停止への切り替え、あるいは両系列併用運転への切り替えを行う系列切替部を設けたので、より利便性の高い運用を行うことができる。
【０１０３】
なお、実施の形態では、この発明の用途として、ＣＴの２次回路に接続する保護制御装置の切り離しあるいは切り替えを行う場合について説明したが、接点構成を変更することで、保護制御装置に接続するＣＴの２次回路の切り替えを行う場合にも利用することができる。
【０１０４】
また、以上の実施の形態に示した構成は、本発明の構成の一例であり、別の公知の技術と組み合わせることも可能であるし、本発明の要旨を逸脱しない範囲で、一部を省略する等、変更して構成することも可能であることは言うまでもない。
【産業上の利用可能性】
【０１０５】
以上のように、本発明にかかる切替回路は、容易かつ確実にＣＴの２次回路から保護制御装置の切り離しを行うことができる発明として有用である。
【符号の説明】
【０１０６】
１  変流器（ＣＴ）
３  入力部
４Ａ  第１出力部
４Ｂ  第２出力部
５Ａ  第１試験入力部
５Ｂ  第２試験入力部
６  保護制御装置
６１  第１の保護制御装置
６２  第２の保護制御装置
２０，２０ａ，２０ｂ，２１，２２，２３，２４，２５，２６，２７  切替回路
３０，３１  入力端子
４０  出力端子
４１  第１出力端子
４２  第２出力端子
５０  試験入力端子
５１  第１試験入力端子
５２  第２試験入力端子
７０，７０ａ，７０ｂ，７１，７２，７３，７４  スイッチハンドル
８１，８２，８３，８４  個別切替部
９１  系列切替部
１００，１００ａ，１００ｂ，１１１，１１２，１１３，１１４，１２１  コントロールスイッチ
２００，４００，４００ａ，４００ｂ，４００ｃ  接点部群
２１０，４１０  第１の接点部
２２０，４２０  第２の接点部
２３０，４３０  第３の接点部
４４０  第４の接点部
４５０  第５の接点部
４６０  第６の接点部
３００，５００  試験接点部群
３１０，５１０  第１の試験接点部
３２０，５２０  第２の試験接点部
６１０  第３の試験接点部
６２０  第４の試験接点部
２１１，２１２，２２１，２２２，２３１，２３２，３１１，３１２，３２１，３２２，４１１，４１２，４２１，４２２，４３１，４３２，４４１，４４２，４５１，４５２，４６１，４６２，５１１，５１２，５２１，５２２，６１１，６１２，６２１，６２２    端子
【図１】
2011166936.tif 000003
【図２】
2011166936.tif 000004
【図３】
2011166936.tif 000005
【図４】
2011166936.tif 000006
【図５】
2011166936.tif 000007
【図６】
2011166936.tif 000008
【図７】
2011166936.tif 000009
【図８】
2011166936.tif 000010
【図９】
2011166936.tif 000011
【図１０】
2011166936.tif 000012
【図１１】
2011166936.tif 000013
【図１２】
2011166936.tif 000014
【図１３】
2011166936.tif 000015